(57)【要約】【課題】ネットワークアプリケーション画面の操作性を向上させることができる画像表示装置を提供する。【解決手段】インターネット接続機能を有し、画像を表示する表示部と、リモコン装置の動きを示す動き検出情報を前記リモコン装置から受信する受信部と、前記受信部により受信された前記動き検出情報に応じ、前記表示部に表示されたネットワークアプリケーション画面においてカーソルを移動表示させる表示制御部と、を備える画像表示装置とする。【選択図】図２
2013122709.tif 000002
【特許請求の範囲】
【請求項１】
インターネット接続機能を有し、
画像を表示する表示部と、
リモコン装置の動きを示す動き検出情報を前記リモコン装置から受信する受信部と、
前記受信部により受信された前記動き検出情報に応じ、前記表示部に表示されたネットワークアプリケーション画面においてカーソルを移動表示させる表示制御部と、
を備えることを特徴とする画像表示装置。
【請求項２】
前記動き検出情報は、前記リモコン装置の傾きを示すことを特徴とする請求項１に記載の画像表示装置。
【請求項３】
前記ネットワークアプリケーション画面は、複数の選択肢が縦横に配列された画面であることを特徴とする請求項１または請求項２に記載の画像表示装置。
【請求項４】
前記ネットワークアプリケーション画面は、動画配信サービスを提供するネットワークアプリケーションの画面であることを特徴とする請求項１〜請求項３のいずれかに記載の画像表示装置。
【発明の詳細な説明】
【技術分野】
【０００１】
本発明は、画像表示装置に関する。
【背景技術】
【０００２】
従来より、テレビ受像機等の画像表示装置は一般的にリモコン装置によって操作される。このような従来の画像表示装置は、例えば特許文献１〜４に開示されている。
【０００３】
特許文献１には、リモコン装置の動き方向と動作制御信号（音量アップダウン、チャンネルアップダウン）を対応付けた信号生成用テーブルをリモコン装置に格納し、専用ボタンが押し下げられている間だけ、方向検出部によって検出された動き方向に対応する動作制御信号を生成し、リモコン装置からテレビ受像機へ動作制御信号を送信するものが開示されている。
【０００４】
また、特許文献２には、テレビ受像機に多チャンネルデコーダを備え、リモコン装置の動きによってテレビ受像機に表示された多画面動画の中から希望の番組を素早く容易に選択するものが開示されている。
【０００５】
また、特許文献３には、リモコン装置からディスプレイ画面上の所望のポイントに向かって所定信号を送信し、ディスプレイ画面の４隅に設けた受信センサに入力する信号の強度差を判別し、指示のポイントの位置座標を算出し、指示されたポイントをディスプレイ画面上に表示するものが開示されている。
【０００６】
また、特許文献４には、リモコン装置からＲＧＢ信号を受信するセンサと、該センサの出力よりＲＧＢ成分の大きさの比を演算する手段と、演算された比の値に対応する位置にマーカを表示させる手段とを備えたテレビ受像機が開示されている。
【先行技術文献】
【特許文献】
【０００７】
【特許文献１】特開２０１１−５５３６８号公報
【特許文献２】特開２００９−３０２６９０号公報
【特許文献３】特開平６−１６１６５４号公報
【特許文献４】特開平６−１５３２８０号公報
【発明の概要】
【発明が解決しようとする課題】
【０００８】
ここで最近、インターネット接続機能を有するテレビ受像機が登場している。このようなテレビ受像機では、動画配信サービス等を提供するネットワークアプリケーションの画面が表示され、表示されたネットワークアプリケーション画面を操作する際には、リモコン装置のカーソルキー（上下左右キー）を使用して選択肢を選択するものが多い。
【０００９】
動画配信サービスを提供するネットワークアプリケーションの画面のように一画面で多数の選択肢が表示される場合、リモコン装置のカーソルキーを上下左右に複数回押し下げてカーソルを目的の選択肢まで移動させる必要があった。また、ネットワークアプリケーション画面の画面デザインは複雑な場合があり、リモコン装置のカーソルキーによる操作では、カーソルがどこへ移動するのかが分かりにくい場合があった。
【００１０】
このようにネットワークアプリケーション画面の操作性に問題があったが、上記特許文献１〜４ではこの問題点についてなんら着目されていない。
【００１１】
そこで、本発明は、ネットワークアプリケーション画面の操作性を向上させることができる画像表示装置を提供することを目的とする。
【課題を解決するための手段】
【００１２】
上記目的を達成するために本発明の画像表示装置は、
インターネット接続機能を有し、
画像を表示する表示部と、
リモコン装置の動きを示す動き検出情報を前記リモコン装置から受信する受信部と、
前記受信部により受信された前記動き検出情報に応じ、前記表示部に表示されたネットワークアプリケーション画面においてカーソルを移動表示させる表示制御部と、
を備える構成とする。
【００１３】
また、上記構成において、前記動き検出情報は、前記リモコン装置の傾きを示すこととしてもよい。
【００１４】
また、上記いずれかの構成において、前記ネットワークアプリケーション画面は、複数の選択肢が縦横に配列された画面であることとしてもよい。
【００１５】
また、上記いずれかの構成において、前記ネットワークアプリケーション画面は、動画配信サービスを提供するネットワークアプリケーションの画面であることとしてもよい。
【発明の効果】
【００１６】
本発明によると、ネットワークアプリケーション画面の操作性を向上させることができる。
【図面の簡単な説明】
【００１７】
【図１】本発明の一実施形態に係るテレビシステムの概略外観図である。
【図２】本発明の一実施形態に係るテレビ受像機のブロック構成図である。
【図３】本発明の一実施形態に係るリモコン装置のブロック構成図である。
【図４】ネットワークアプリケーション画面の操作例を示す図である。
【発明を実施するための形態】
【００１８】
以下に本発明の一実施形態について図面を参照して説明する。まず、本発明の一実施形態に係るテレビシステムの構成について説明する。
【００１９】
本発明の一実施形態に係るテレビシステムの概略外観を図１に示す。本テレビシステムは、テレビ受像機１とリモコン装置３５から構成される。テレビ受像機１のブロック構成を図２に示し、リモコン装置３５のブロック構成を図３に示す。
【００２０】
図２に示すテレビ受像機１の各部はテレビ本体１０３（図１）に内蔵されており、画像を表示するディスプレイ２０は正面から視認可能にテレビ本体１０３に備えられる。また、リモコン装置３５の傾きを検出するための赤外線ＬＥＤ１０１及び１０２がテレビ本体１０３の前面側の左右に埋め込まれる。
【００２１】
図２に示すようにテレビ受像機１は、チューナ／デスクランブラ１１、ＤＥＭＵＸ回路１２、ＡＶデコーダ１３、信号処理回路１４、入力切替回路１５、映像処理回路１６、スケーラ１７、複合回路１８、映像出力回路１９、ディスプレイ２０、音声処理回路２１、音声出力回路２２、スピーカ２３、無線受信部２４、リモコン受光部２５、システムコントローラ２６、メモリ２７、ＯＳＤ（On Screen Display）表示回路２８、及びインターネット処理回路２９を備えている。
【００２２】
テレビ受像機１にはアンテナ等が接続されており、複数種のテレビ放送（例えば、ＣＳ／ＢＳデジタル放送、地上デジタル放送、ＣＡＴＶなど）の信号が伝送される。
【００２３】
またテレビ受像機１にはコンテンツの外部再生機器（例えば、ＤＶＤプレイヤなど）が接続されており、当該外部再生機器から出力された外部再生（外部入力）信号が伝送される。
【００２４】
チューナ／デスクランブラ１１は、外部から伝送されてきたテレビ放送信号に対して、現時点で設定されている受信チャンネルの信号を抽出する処理（選局処理）、ならびに、所定の高周波処理、スクランブル解除処理、及び復調処理などを施す。これらの処理により得られた信号は、パケットとしてＤＥＭＵＸ回路１２に送出される。なお「受信チャンネル」については、システムコントローラ２６によって切替可能となっている。
【００２５】
ＤＥＭＵＸ回路１２は、チューナ／デスクランブラ１１から受取ったパケットの復号を行う。ここで当該パケットは、ＤＥＭＵＸ回路１２において、テレビ番組の内容を表すＭＰＥＧデータと付属情報とに分類される。そしてＭＰＥＧデータはＡＶデコーダ１３へ、付属情報はシステムコントローラ２６へ、それぞれ送出される。なお付属情報は、例えば現在放送中または将来放送される予定のテレビ番組の案内情報や、放送業者からのお知らせ等の情報であり、テレビ番組のコンテンツの情報とともに所定の時間間隔で放送されるものである。
【００２６】
ＡＶデコーダ１３は、ＤＥＭＵＸ回路１２またはインターネット処理回路２９から受取ったＭＰＥＧデータを映像信号と音声信号にデコードし、映像信号及び音声信号を、入力切替回路１５へ送出する。
【００２７】
信号処理回路１４は、外部から受取った外部再生信号に基づいて、再生内容（コンテンツ）を表す映像信号と音声信号を取得する。信号処理回路１４は、取得した映像信号及び音声信号を、入力切替回路１５へ送出する。
【００２８】
入力切替回路１５は、テレビ放送信号及び外部再生信号のうちの一方を、入力対象として設定する。そして入力切替回路１５は、前段側から伝送されてきた映像信号及び音声信号のうち、現時点での入力対象に対応するものだけを、後段側の回路に伝送する。
【００２９】
即ち、入力切替回路１５は、テレビ放送信号が入力対象に設定されているときは、ＡＶデコーダ１３から伝送されてきた映像信号及び音声信号を、それぞれ映像処理回路１６及び音声処理回路２１へ伝送する。一方、外部再生信号が入力対象に設定されているときは、信号処理回路１４から伝送されてきた映像信号及び音声信号を、それぞれ映像処理回路１６及び音声処理回路２１へ伝送する。なお入力対象については、システムコントローラ２６によって切替可能となっている。
【００３０】
また映像処理回路１６は、入力切替回路１５から受取った映像信号に対し、各種の処理を施してスケーラ１７に送出する。映像処理回路１６が行う処理には、各種の画質調整の処理（例えば、コントラスト調整、輝度調整、シャープネス調整など）が含まれている。
【００３１】
スケーラ１７は、システムコントローラ２６の指示に応じて、映像が子画面化されて表示されるようにする処理（子画面化処理）を映像信号に施し、複合回路１８に送出する。なお、子画面化処理には、映像が所定の縮小率で縮小されるようにする処理、及び当該縮小された映像が所定位置に表示されるようにする処理などが含まれる。
【００３２】
複合回路１８は、スケーラ１７から映像信号を、ＯＳＤ表示回路２８からＯＳＤ信号（ＯＳＤ表示画面を表す信号）を、インターネット処理回路２９からネットワークアプリケーションやネットワークコンテンツの映像信号をそれぞれ受取り、これらの信号の表示内容を複合させた（重ね合わせた）内容を表す表示信号を生成する。当該表示信号は、映像出力回路１９に送出される。
【００３３】
映像出力回路１９は、受取った表示信号をディスプレイ２０に送出し、当該表示信号の内容がディスプレイ２０に表示されるようにする。なおディスプレイ２０は、例えば液晶ディスプレイやＣＲＴ（Cathode Ray Tube）など、種々のディスプレイが採用され得る。
【００３４】
音声処理回路２１は、入力切替回路１５から受取った音声信号に対し、必要な所定処理を施して音声出力回路２２に送出する。また音声出力回路２２は、受取った音声信号をスピーカ２３に送出し、当該音声信号が表す音声が出力されるようにする。
【００３５】
システムコントローラ２６は、テレビ受像機１が正常に動作するように、テレビ受像機１の各部を制御する。
【００３６】
メモリ２７は、各種のＯＳＤ表示画面（ディスプレイ２０にＯＳＤ表示させるための画面）などの情報を格納している。なおＯＳＤ表示画面としては、メニュー画面などが、予め既定画面として用意されており、それぞれの情報がメモリ２７に格納されている。
【００３７】
ＯＳＤ表示回路２８は、システムコントローラ２６からＯＳＤ制御信号を受取り、この信号に基づいてＯＳＤ表示画面を表すＯＳＤ信号を生成し、複合回路１８に送出する。これにより、ディスプレイ２０にＯＳＤ表示画面が表示されることになる。
【００３８】
インターネット処理回路２９は、インターネット３０への接続を行う機能を有し、インターネット３０を通じて所定のサーバからネットワークアプリケーションやネットワークコンテンツの提供を受け、このネットワークアプリケーションやネットワークコンテンツの映像信号をＡＶデコーダ１３へ送出する。
【００３９】
また、図３に示すようにリモコン装置３５は、赤外線ＣＭＯＳセンサ３５１、赤外ＬＥＤ３５２、無線送信部３５３、キー操作部３５４、及びマイコン３５５を備えている。
【００４０】
赤外線ＣＭＯＳセンサ３５１は、リモコン本体３５０（図１）の前方端部の中央部に設けられる。また、赤外ＬＥＤ３５２及び無線送信部３５３は、赤外線ＣＭＯＳセンサ３５１を挟むようにリモコン本体３５０の前方端部にそれぞれ設けられる。無線送信部３５３は、テレビ受像機１側の無線受信部２４（図２）との間で例えばBluetooth（登録商標）による通信を行う。
【００４１】
キー操作部３５４は、リモコン本体３５０の上面に押し下げ可能に配置された数字キー３５４Ａ、上下左右キー３５４Ｂ、インターネットキー３５４Ｃ、及び決定キー３５４Ｄを有している（図１）。数字キー３５４Ａは、例えば放送受信チャンネルを切り替えるために用いられる。上下左右キー３５４Ｂは、例えばディスプレイ２０に表示された選択肢を選択するために用いられる。また、インターネットキー３５４Ｃは、例えば通常モードからネットモードへ移行するために用いられる。また、決定キー３５４Ｄは、例えばディスプレイ２０に表示された選択された選択肢を決定するために用いられる。
【００４２】
キー操作部３５４においてキーが押し下げられると、押し下げられたキーに対応するリモコンコードを変調した電気パルスがマイコン３５５により生成され、赤外ＬＥＤ３５２は生成された電気パルスに従って赤外線を発光する。テレビ受像機１側のリモコン受光部２５（図２）は、赤外ＬＥＤ３５２から受光した赤外線を電気パルスに変換し、電気パルスをリモコンコードに復調する。システムコントローラ２６は、リモコンコードに応じた制御を行う。これにより、キー操作部３５４の操作をテレビ受像機１の動作に反映させることができる。
【００４３】
また、赤外線ＣＭＯＳセンサ３５１は、テレビ受像機１の赤外線ＬＥＤ１０１及び１０２を含めた赤外線画像を撮像し、その撮像信号をマイコン３５５に出力する。マイコン３５５は、入力された撮像信号に基づいて赤外線ＬＥＤ１０１及び１０２の位置情報を検出し、検出された位置情報を無線送信部３５３を介してテレビ受信機１側の無線受信部２４（図２）に送信する。この位置情報は、リモコン装置３５の傾きに応じた情報であり、動き検出情報に相当する。
【００４４】
無線受信部２４は、受信した位置情報をシステムコントローラ２６に送出する。システムコントローラ２６は、受信した位置情報をカーソル表示位置に変換し、カーソル表示位置にカーソルを表示させるＯＳＤ制御信号をＯＳＤ表示回路２８に送出する。これにより、ディスプレイ２０において、リモコン装置３５の傾きに応じた位置にカーソルが表示される。なお、このカーソル表示は、後述するネットワークアプリケーション画面などにおいて行われる。
【００４５】
なお、リモコン装置３５の傾きを検出する手法は、上記に限らず、例えば加速度センサ及びジャイロを用いる手法など各種の手法を採用できる。
【００４６】
次に、本発明の一実施形態に係るテレビシステムのネットモードにおける動作について説明する。なお、ここでは動画配信サービスを提供するネットワークアプリケーションを一例に挙げて説明する。
【００４７】
ここで、テレビ受像機１は通常モードであり、入力切替回路１５が出力する映像音声信号に基づいてディスプレイ２０に映像表示され、スピーカ２３から音声が出力されているとする。即ち、通常モードでは、テレビ放送信号または外部再生信号に基づいたコンテンツ視聴が行われる。
【００４８】
このような通常モードの際に、リモコン装置３５においてインターネットキー３５４Ｃが押し下げられると、ネットモードへ移行し、システムコントローラ２６の制御によりインターネット処理回路２９は、インターネット３０を通じてネットワークアプリケーションを取得し、ネットワークアプリケーション画面をシステムコントローラ２６及びＯＳＤ表示回路２８により生成して複合回路１８に出力する。これにより、ネットワークアプリケーション画面がディスプレイ２０に表示される。この際、ＯＳＤ表示によってカーソルが初期位置に表示される。
【００４９】
ネットワークアプリケーション画面の一例を図４に示す。図４に示すように、縦３×横３の選択肢が表示され、各選択肢には配信会社名（「ＤＤＤ」〜「ＬＬＬ」）が表示される。また、図４の上段は、カーソル４０が初期位置である左上隅（「ＤＤＤ」の位置）に表示されている画面を示す。
【００５０】
カーソルが初期位置に表示されている状態で、リモコン装置３５をテレビ受像機１の正面へ向けた状態から傾けると、赤外線ＣＭＯＳセンサ３５１の撮像により傾きに応じた赤外線ＬＥＤ１０１及び１０２の位置情報が検出され、リモコン装置３５から位置情報が無線受信部２４へ送信される。すると、システムコントローラ２６は、受信した位置情報をカーソル表示位置に変換し、カーソル表示位置にカーソルを表示させるＯＳＤ制御信号をＯＳＤ表示回路２８に送出する。これにより、カーソルが初期位置から移動した位置に表示される。
【００５１】
図４の例であれば、図４の中段は、リモコン装置３５をテレビ受像機１の正面へ向けた状態から右下へ傾けた場合のネットワークアプリケーション画面を示す。この場合は、カーソル４０が初期位置（「ＤＤＤ」の位置）からすぐ右下の位置（「ＨＨＨ」の位置）へ移動している。
【００５２】
カーソルが移動してから一定時間経過しても受信する位置情報がほとんど変化しない場合は、システムコントローラ２６は、リモコン装置３５の傾きが維持されていると判断し、カーソルを更に移動して表示すべくＯＳＤ制御信号をＯＳＤ表示回路２８に送出する。これにより、ディスプレイ２０においてカーソルが更に移動する。
【００５３】
図４の例であれば、図４の中段の表示より一定時間経過してもリモコン装置３５の傾きが維持されている場合、図４の下段に示す画面が表示される。ここでは、カーソル４０は、先の表示位置（「ＨＨＨ」の位置）より更にすぐ右下の表示位置（「ＬＬＬ」の位置）に移動している。
【００５４】
また、カーソルが移動してから一定時間経過後、受信した位置情報に基づいてリモコン装置３５が元のテレビ受像機１の正面へ向けた状態に戻されたことを検出すると、システムコントローラ２６は、カーソル表示位置を維持させる。例えば、図４の中段に示す画面が表示されてから一定時間内にリモコン装置３５が元の状態に戻されると、カーソル４０の表示位置は「ＨＨＨ」の位置で維持される。
【００５５】
このようにリモコン装置３５を傾けることでネットワークアプリケーション画面においてカーソルを移動させて選択肢を選択し、決定キー３５４Ｄを押し下げると、システムコントローラ２６の制御によりインターネット回路２９は、選択された選択肢に対応するネットワークアプリケーション画面の映像信号をＡＶデコーダ１３に出力する。これにより、ディスプレイ２０には、選択された配信会社が配信する動画コンテンツ（映画、ドラマ、アニメーションなど）の選択肢が配列されたネットワークアプリケーション画面が表示される。この際、ＯＳＤ表示によってカーソルが初期位置に表示される。
【００５６】
例えばこのようなネットワークアプリケーション画面としては、図４に示した画面の選択肢と同様の配列で各選択肢には各動画コンテンツに対応する静止画が表示されている画面などが挙げられる。
【００５７】
このようなネットワークアプリケーション画面においても、上述した動作と同様の動作により、リモコン装置３５を傾けることで動画コンテンツの選択肢を選択できる。そして、選択肢を選択後、決定キー３５４Ｄを押し下げると、システムコントローラ２６の制御によりインターネット処理回路２９は、インターネット３０を通じて選択された動画コンテンツの取得を開始し、取得されたコンテンツの映像・音声をＡＶデコーダ１３に出力する。これにより、ディスプレイ２０にてコンテンツの映像が表示され、スピーカ２３からコンテンツの音声が出力される。
【００５８】
このように、本実施形態によれば、多数の選択肢が表示されたネットワークアプリケーション画面であっても、リモコン装置３５を傾けることで目的の選択肢までカーソルを移動させて選択できるので、カーソルキーを複数回押し下げて選択するよりも選択操作を容易にすることができる。また、リモコン装置３５を傾けることでカーソルを移動させるので、ネットワークアプリケーション画面が複雑な場合にカーソルキーを押し下げて操作するよりもカーソルがどこへ移動するかが分かり易い。
【００５９】
以上、本発明の一実施形態について説明したが、本発明の趣旨の範囲内であれば、実施形態は種々変形が可能である。
【００６０】
例えば、上記実施形態ではテレビ受像機を例として説明したが、本発明の画像表示装置には、放送受信機能や外部再生信号の入力機能は必須ではない。
【符号の説明】
【００６１】
１    テレビ受像機
１１    チューナ／デスクランブラ
１２    ＤＥＭＵＸ回路
１３    ＡＶデコーダ
１４    信号処理回路
１５    入力切替回路
１６    映像処理回路
１７    スケーラ
１８    複合回路
１９    映像出力回路
２０    ディスプレイ
２１    音声処理回路
２２    音声出力回路
２３    スピーカ
２４    無線受信部
２５    リモコン受光部
２６    システムコントローラ
２７    メモリ
２８    ＯＳＤ表示回路
２９    インターネット処理回路
３０    インターネット
３５    リモコン装置
４０    カーソル
１０１、１０２    赤外線ＬＥＤ
１０３    テレビ本体
３５０    リモコン本体
３５１    赤外線ＣＭＯＳセンサ
３５２    赤外ＬＥＤ
３５３    無線送信部
３５４    キー操作部
３５４Ａ    数字キー
３５４Ｂ    上下左右キー
３５４Ｃ    インターネットキー
３５４Ｄ    決定キー
３５５    マイコン
【図１】
2013122709.tif 000003
【図２】
2013122709.tif 000004
【図３】
2013122709.tif 000005
【図４】
2013122709.tif 000006